(57)【要約】  災害による異常が生じた場合において、蓄電池５に蓄えられた電力を放電させ、二次災害が発生する可能性を従来よりも低減することができる蓄電池制御装置６、蓄電システム３および太陽光発電システム１を提供する。本発明に係る蓄電池制御装置６では、蓄電池５の充放電を制御する蓄電池制御装置６であって、蓄電池制御装置６または蓄電池制御装置６の周囲に生じた災害による異常を検出する異常検出部９と、蓄電池５に蓄えられた電力を消費する電力消費部１３と、異常検出部９から受信した信号に基づき異常が発生していると判断した場合に、電力消費部１３で蓄電池５に蓄えられた電力を消費させ、設定充電量以下に蓄電池５の電力量を低下させる電力制御部８とを備える。
2017029715.tif 000002
【特許請求の範囲】
【請求項１】
蓄電池の充放電を制御する蓄電池制御装置であって、
前記蓄電池制御装置または前記蓄電池制御装置の周囲に生じた災害による異常を検出する異常検出部と、
前記蓄電池に蓄えられた電力を消費する電力消費部と、
前記異常検出部から受信した信号に基づき前記異常が発生していると判断した場合に、前記電力消費部で前記蓄電池に蓄えられた電力を消費させ、設定充電量以下に前記蓄電池の電力量を低下させる電力制御部と
を備える蓄電池制御装置。
【請求項２】
前記電力制御部は、前記異常の程度を判断し、前記異常の程度が第一設定値以上および第二設定値未満の場合に前記蓄電池の電力を消費させ、前記蓄電池の電力量を前記設定充電量以下かつ下限充電量以上とし、前記異常の程度が前記第二設定値以上の場合に前記蓄電池の電力を消費させ、前記蓄電池の電力量を前記下限充電量未満とする
請求項１に記載の蓄電池制御装置。
【請求項３】
外部からの入力を受ける操作部を備え、
前記電力制御部は、前記異常が生じたと判断したときから、前記操作部からの入力信号に基づき前記異常が解消したと判断するまでの間において、前記蓄電池への充電を行わない
請求項１または請求項２に記載の蓄電池制御装置。
【請求項４】
前記異常検出部は、振動を測定する振動センサーであって、
前記電力制御部は、前記振動センサーからの信号に基づき、前記異常が発生しているか否かを判断する
請求項１〜３のいずれか一項に記載の蓄電池制御装置。
【請求項５】
前記異常検出部は、浸水の有無を検出する浸水センサーであって、
前記電力制御部は、前記浸水センサーからの信号に基づき、前記異常が発生しているか否かを判断する
請求項１〜３のいずれか一項に記載の蓄電池制御装置。
【請求項６】
前記異常検出部は、温度を測定する温度センサーであって、
前記電力制御部は、前記温度センサーからの信号に基づき、前記異常が発生しているか否かを判断する
請求項１〜３のいずれか一項に記載の蓄電池制御装置。
【請求項７】
前記異常検出部は、予め定められた種類の可燃性ガスを検出するガスセンサーであって、
前記電力制御部は、前記ガスセンサーからの信号に基づき、前記異常が発生しているか否かを判断する
請求項１〜３のいずれか一項に記載の蓄電池制御装置。
【請求項８】
前記蓄電池の電力を前記電力消費部で消費する場合に、前記蓄電池の電力を利用して前記電力消費部の冷却を行う冷却装置
を備える請求項１〜７のいずれか一項に記載の蓄電池制御装置。
【請求項９】
請求項１〜８のいずれか一項に記載の蓄電池制御装置と、
前記蓄電池制御装置により充放電が制御される前記蓄電池を有する蓄電装置と
を備える蓄電システム。
【請求項１０】
請求項９に記載の蓄電システムと、
太陽光発電により発電した電力が前記蓄電システムの前記蓄電池に充電され、前記太陽光発電による発電を行うソーラーパネルと
を備える太陽光発電システム。
【発明の詳細な説明】
【技術分野】
【０００１】
本発明は、蓄電池の充放電を制御する蓄電池制御装置、蓄電システムおよび太陽光発電システムに関するものである。
【背景技術】
【０００２】
従来の蓄電システムは、例えばリチウムイオン電池等の二次電池と、この二次電池の充放電経路に直列に介装され、その作動によって充放電経路を遮断する非復帰スイッチとを具備したものであって、特に非復帰スイッチの作動により二次電池の充放電経路が遮断された際、二次電池に並列接続されて二次電池の放電路を形成する放電用抵抗を備えたものが開示されている（例えば、特許文献１参照）。
【先行技術文献】
【特許文献】
【０００３】
【特許文献１】特開２００１−１２６７７２号公報
【発明の概要】
【発明が解決しようとする課題】
【０００４】
このような蓄電システムにあっては、蓄電池が過充電の状態になり廃棄を行う場合において、廃棄時の安全性を高めるため、蓄電池に蓄えられた電力を放電させていた。しかしながら、例えば地震、津波、風水害または火災などの災害による異常が生じた場合には、蓄電池の充電状態は過充電の状態ではなく正常状態にあるため、蓄電池に蓄えられた電力が放電されずそのまま保持されていた。よって、災害の程度によっては、家屋が倒壊し蓄電システムに損傷を与えるなどの不測の自体が生じる恐れがあり、蓄電池に蓄えられた電力が放電されず保持されていると、二次災害が生じる可能性があった。【０００５】
本発明は、上述のような問題を解決するためになされたもので、例えば地震、津波、風水害または火災などの災害による異常が生じた場合において、蓄電池に蓄えられた電力を放電させ、二次災害が発生する可能性を従来よりも低減することができる蓄電池制御装置、蓄電システムおよび太陽光発電システムを提供することを目的とする。
【課題を解決するための手段】
【０００６】
本発明に係る蓄電池制御装置は、蓄電池の充放電を制御する蓄電池制御装置であって、蓄電池制御装置または蓄電池制御装置の周囲に生じた災害による異常を検出する異常検出部と、蓄電池に蓄えられた電力を消費する電力消費部と、異常検出部から受信した信号に基づき異常が発生していると判断した場合に、電力消費部で蓄電池に蓄えられた電力を消費させ、設定充電量以下に蓄電池の電力量を低下させる電力制御部とを備えたものである。【０００７】
本発明に係る蓄電システムは、蓄電池の充放電を制御する蓄電池制御装置であって、蓄電池制御装置または蓄電池制御装置の周囲に生じた災害による異常を検出する異常検出部と、蓄電池に蓄えられた電力を消費する電力消費部と、異常検出部から受信した信号に基づき異常が発生していると判断した場合に、電力消費部で蓄電池に蓄えられた電力を消費させ、設定充電量以下に蓄電池の電力量を低下させる電力制御部とを有する蓄電池制御装置と、蓄電池制御装置により充放電が制御される蓄電池を有する蓄電装置とを備えたものである。【０００８】
本発明に係る太陽光発電システムは、蓄電池の充放電を制御する蓄電池制御装置であって、蓄電池制御装置または蓄電池制御装置の周囲に生じた災害による異常を検出する異常検出部と、蓄電池に蓄えられた電力を消費する電力消費部と、異常検出部から受信した信号に基づき異常が発生していると判断した場合に、電力消費部で蓄電池に蓄えられた電力を消費させ、設定充電量以下に蓄電池の電力量を低下させる電力制御部とを有する蓄電池制御装置と、蓄電池制御装置により充放電が制御される蓄電池を有する蓄電装置とを備える蓄電システムと、さらに、太陽光発電により発電した電力が蓄電システムの蓄電池に充電され、太陽光発電による発電を行うソーラーパネルとを備えたものである。
【発明の効果】
【０００９】
本発明に係る蓄電池制御装置、蓄電システムおよび太陽光発電システムによれば、例えば地震、津波、風水害または火災などの災害による異常が生じた場合において、蓄電池に蓄えられた電力を放電させ、二次災害が発生する可能性を従来よりも低減することができる。
【図面の簡単な説明】
【００１０】
【図１】本発明の実施の形態１に係る太陽光発電システムのブロック図である。
【図２】本発明の実施の形態１に係る蓄電池の充電量と二次災害の可能性との関係を示すイメージ図である。
【図３】本発明の実施の形態１における災害の例として地震を例示した場合の震度と異常の程度との関係を表すイメージ図である。
【図４】本発明の実施の形態１に係る蓄電池制御装置の電力制御部の異常確認処理を説明するフローチャートである。
【図５】本発明の実施の形態２における災害の例として地震を例示した場合の震度と異常の程度との関係を表すイメージ図である。
【図６】本発明の実施の形態２に係る蓄電池制御装置の電力制御部の異常確認処理を説明するフローチャートである。
【発明を実施するための形態】
【００１１】
実施の形態１．
本発明の実施の形態１に係る太陽光発電システム１を図１〜４により説明する。図において、同一の符号を付したものは、同一またはこれに相当するものであり、このことは、明細書の全文において共通することである。
【００１２】
図１は本発明の実施の形態１に係る太陽光発電システム１のブロック図である。図１に示すように、本発明の実施の形態１に係る太陽光発電システム１は、ソーラーパネル２と蓄電システム３とを有する。図１において、実線の矢印は、電流が流れる方向を例示し、点線の矢印は、信号が流れる方向を例示している。
【００１３】
ソーラーパネル２は、太陽からの日射を受けて発電を行い、発電した電力を蓄電システム３に出力する太陽電池モジュールである。蓄電システム３は、蓄電装置４と蓄電池制御装置６とを有する。ソーラーパネル２で発電し出力された電力は、蓄電池制御装置６を介して蓄電装置４の蓄電池５に充電される。蓄電装置４および蓄電池制御装置６の詳細は、後述する。
【００１４】
接続負荷２１は、例えば家電機器、照明、エレベータなどの昇降機、業務機器、または換気装置などであり、ソーラーパネル２で発電した電力または系統電源２０からの電力で動作する。ここで、家電機器は、例えばエアコン、冷蔵庫、テレビ、ラジオ、扇風機、または携帯電話などである。
【００１５】
系統電源２０は、太陽光発電システム１に電力を供給する交流電源であり、蓄電池制御装置６を介して蓄電装置４に充電または接続負荷２１に電力の供給を行う。また、ソーラーパネル２で発電された電力が、接続負荷２１の要求する電力より大きく、かつ、蓄電池５が満充電で充電できない場合などに、ソーラーパネル２で発電された電力の余剰分を系統電源２０に売電することもできる。
【００１６】
次に、蓄電装置４および蓄電池制御装置６の詳細を説明する。蓄電装置４は、蓄電池５を有し、蓄電池制御装置６により充放電が制御される。蓄電池５は、例えばリチウムイオン二次電池、ニッケル水素電池、鉛蓄電池、ＮＡＳ電池、またはレドックスフロー電池などで構成される。また、蓄電装置４は、据え付け型の定置用蓄電装置だけでなく、容易に取り外しおよび移動が可能な電気自動車などに適用される車載用蓄電装置を定置用蓄電装置に替えてまたは加えて用いる構成でもよい。
【００１７】
ここで、図２より蓄電池５の充電量と二次災害の可能性との関係を説明する。二次災害は、例えば地震、津波、風水害または火災などの災害が生じた場合に、災害の影響により蓄電システム３から二次的に発生する災害を指す。図２は、本発明の実施の形態１に係る蓄電池５の充電量と二次災害の可能性との関係を示すイメージ図である。
【００１８】
図２の縦軸は二次災害の可能性の大きさを表し、横軸は蓄電池５の充電量を表す。図２の二次災害の可能性と蓄電池５の充電量との対応関係を表す線分５０より、蓄電池５の充電量が大きいほど二次災害の可能性が高くなり、蓄電池５の充電量が低いほど二次災害の可能性が低くなることがわかる。さらに、二次災害が発生する可能性が高いほど、蓄電池の充電量が高いため二次災害が生じた際の規模も大きくなり、二次災害が発生する可能性が低いほど、蓄電池の充電量が低いため二次災害が生じた際の規模も小さくなる。例えば、家屋に地震が発生し、家屋が倒壊し蓄電システム３が損傷を受けたとしても、蓄電池５の充電量が低いほど、蓄電システム３から生じる二次災害の可能性が低減できる。
【００１９】
また、図２を用いて、蓄電池５の充電範囲について説明する。蓄電装置４の蓄電池５の充電量には適正範囲があり、適正範囲を外れた過放電または過充電を行うと電池特性が著しく劣化し、二次電池として適切に機能しなくなるおそれがある。それゆえ、蓄電池制御装置６は、通常、蓄電装置４の蓄電池５の充電量が、電池特性の劣化が小さい適正範囲内になるよう充放電量を制御している。蓄電池５の充電量が適正範囲内であれば、電池特性の劣化が抑制され、二次電池として適切に使用することができる。
【００２０】
図２より、蓄電池５の充電量を第一設定範囲３０、第二設定範囲３１、適正範囲３２、および過充電範囲３３に区分する。
【００２１】
第一設定範囲３０は、蓄電池５の充電量が過放電の状態となる範囲であり、蓄電池５の充電量がＸ１からＸ２までの範囲を指し、蓄電池５の充電量の適正範囲３２より低い範囲である。蓄電池５の充電量が第一設定範囲３０になると、過放電の状態となる。つまり、下限充電量Ｘ２は、一般に最低許容電圧と呼ばれ、蓄電池５が二次電池として適切に機能するための蓄電池５の充電量の下限値であるため、蓄電池５の充電量が下限充電量Ｘ２未満となると、以降、再充電を行っても蓄電池５が二次電池として適切に機能しなくなる場合がある。
【００２２】
第二設定範囲３１は、第一設定範囲３０より蓄電池５の充電量が多く、適正範囲３２の下限値（下限充電量Ｘ２）を含む適正範囲３２内にあり、蓄電池５の充電量が下限充電量Ｘ２以上かつ設定充電量Ｘ３以下の範囲である。第二設定範囲３１は、蓄電池５に蓄えられた電力を適正範囲内において出来る限り放電した状態であり、下限充電量Ｘ２から設定充電量Ｘ３までの範囲は狭い方が好ましい。
【００２３】
適正範囲３２は、蓄電池５の充電量の適正範囲であり、蓄電池５の充電量が下限充電量Ｘ２以上かつ上限充電量Ｘ４以下の範囲である。
【００２４】
過充電範囲３３は、蓄電池５の充電量が過充電の状態となる範囲であり、蓄電池５の充電量が上限充電量Ｘ４を超える範囲である。ここで、Ｘ４は一般に最大許容電圧と呼ばれる。蓄電池５の充電量が過充電範囲３３になると過充電の状態となり、同様に以降、再充電を行っても蓄電池５が二次電池として適切に機能しなくなる場合がある。それゆえ、後述する蓄電池制御装置６は、蓄電池５の電力量が適正範囲３２に収まるよう蓄電池５の充放電の制御を行っている。
【００２５】
なお、第二設定範囲３１は、適正範囲３２の範囲内であって適正範囲３２と一部が重複している。適正範囲３２について蓄電池５の充電量が、設定充電量Ｘ３を超えかつ上限充電量Ｘ４以下の範囲とし、第二設定範囲３１と重複しないようにしてもよい。ただしこの場合も、第二設定範囲３１は、再充電を行っても蓄電池５が二次電池として適切に機能する範囲である。また、Ｘ１、Ｘ２、Ｘ３、およびＸ４は、予め定められた蓄電池５の充電量であり、設計値である。
【００２６】
蓄電池制御装置６は、ソーラーパネル２で発電した電力または蓄電池５に充電された電力を効率的に使用できるよう制御を行う。例えば、ソーラーパネル２は、晴天時の日中に発電した余剰電力を蓄電池５に充電するが、夜間または日中であっても雨天時などは、発電が行えない。そこで、蓄電池制御装置６は、夜間または雨天時においても蓄電池５に蓄えられた電力を利用することで、太陽光発電で発電した電力を利用できる。また、落雷などによる停電が生じ、系統電源２０からの電力供給が途絶えたとしても、蓄電池制御装置６は、蓄電池５に蓄えられた電力を接続負荷２１に供給し、必要な設備について動作を継続させることもできる。
【００２７】
また、蓄電池制御装置６は、系統電源２０の電力が日中に比べ夜間の電気料金が安価であることを利用し、夜間に系統電源２０からの電力供給を受けて蓄電池５に電力を充電しておく。そして、電気料金が高くなる日中に蓄電池５に蓄えられた電力を使用することで、電気代を節約することができる。また、蓄電池制御装置６が、日中に蓄電池５に蓄えられた電力を使用するため、系統電源２０に要求する日中の供給電力のピーク需要を低減させる効果も期待できる。
【００２８】
ここで、蓄電池制御装置６の構成を説明する。蓄電池制御装置６は、電力制御部８を有するＤＣ／ＡＣ変換装置７、連系自立制御部１１、異常検出部９、電力消費部１３、冷却装置１４、強制放電スイッチ１２、および操作部１０を備える。
【００２９】
ＤＣ／ＡＣ変換装置７は、パワーコンディショナーであり、直流・交流の相互変換を行い、また、ソーラーパネル２により発電された電力を適切な電圧に変換する。例えば系統電源２０から供給された電力を交流から直流に変換し、蓄電池５に充電を行えるようにする。また、例えばソーラーパネル２で発電した電力が、接続負荷２１の要求する電力より大きく、かつ、蓄電池５にも充電できない場合などにおいて、ソーラーパネル２から出力される電力を直流から交流に変換し、系統電源２０に売電することもできる。なお、ＤＣ／ＡＣ変換装置７は、ソーラーパネル２用および蓄電装置４用にそれぞれ設けられていてもよい。
【００３０】
加えて、ＤＣ／ＡＣ変換装置７は、電力制御部８を有する。電力制御部８は、制御回路であって、蓄電装置４、ソーラーパネル２、系統電源２０および接続負荷２１に対して、それぞれの電力の授受を含む制御を行う。例えば、電力制御部８は、ソーラーパネル２で発電した電力または蓄電池５に蓄えられた電力を接続負荷２１に供給する制御を行う。また、電力制御部８は、系統電源２０から電力供給を受け蓄電池５へ充電する制御を行う。さらに、電力制御部８は、ソーラーパネル２から出力された電力を蓄電池５に充電する制御なども行う。
【００３１】
蓄電池制御装置６は、ＣＰＵ（Ｃｏｎｔｒｏｌ  Ｐｒｏｃｅｓｓｉｎｇ  Ｕｎｉｔ）などのプロセッサーおよびメモリを備え、電力制御部８は、プロセッサーがメモリに記憶されたプログラムを実行することにより動作する。
【００３２】
なお、電力制御部８はＤＣ／ＡＣ変換装置７が有している場合だけでなく、ＤＣ／ＡＣ変換装置７から独立して設けられていても良い。また、電力制御部８は、蓄電システム３を含む太陽光発電システム１が正常に動作するか否かの確認も行うことができる。これにより、災害によって異常が生じた後であっても、少なくとも蓄電システム３が正常に動作するか否かを確認することができ、正常である場合に蓄電池５の放電を適切に行うことができる。
【００３３】
連系自立制御部１１は、回路を切り替えるスイッチであり、系統電源２０による電力供給が停止（停電）した場合に、電力制御部８から系統電源２０を切り離す旨の制御信号を受信すると、系統電源２０側の接続を切り離す。そして、電力制御部８は、ソーラーパネル２または蓄電装置４の電力を接続負荷２１に供給する自立運転制御を行う。なお、系統電源２０が正常のときは、系統電源２０は連系自立制御部１１を介して接続負荷２１に電力を供給または蓄電池５に充電などを行うことができる。
【００３４】
異常検出部９は、各種センサーであり、蓄電池制御装置６または蓄電池制御装置６の周囲に生じた災害による異常を検出する。異常を検出する装置として、例えば振動センサー、浸水センサー、温度センサー、またはガスセンサーなどを異常検出部９として用いることができる。なお、異常検出部９として、各種センサーはいずれも一つである必要はなく、複数個設けられていてもよく、さらに、各種センサーが組み合わされて構成されていてもよい。
【００３５】
異常検出部９は、通常、検出信号を電力制御部８に常時送信している。ただし、異常検出部９は、検出信号を電力制御部８に一定時間毎または検出値が予め定められた閾値を超えた場合に送信するようにしてもよく、これに限られるわけでない。また、異常検出部９は、蓄電池制御装置６に設けられていてもよく、蓄電池制御装置６の周囲（蓄電装置４または蓄電システム３の周辺など）に設けられていてもよく、または両方に設けられていてもよい。
【００３６】
ここで、災害が生じた場合の影響について説明する。例えば大規模な地震が起きた場合、蓄電システム３自体は無事であったとしても、例えば数時間または数十時間後に蓄電システム３が収められた建物が倒壊し、蓄電システム３が建物の下敷きになり破損する場合が考えられる。すると、瓦礫の落下などにより蓄電池５が変形または圧壊し、蓄電システム３の部品が破壊され、コンデンサーまたは蓄電池５の内部液が漏れ出し、可燃性ガスが漏れ出す可能性もある。さらに、スイッチの切り替え等による火花が生じた場合、漏れ出した可燃性ガスに引火し、二次災害を引き起こす可能性もある。
【００３７】
また、二次災害の例を示すと津波または風水害による浸水が生じた場合、蓄電池５の端子部が水没することで、蓄電池５の短絡が起きる可能性がある。また、火災が発生した場合、蓄電システム３の温度が上昇し、部品の破裂、または蓄電池５の内圧上昇により、可燃性ガスの漏洩が起きる可能性もある。また、蓄電システム３の内部で使用している難燃性プラスチックなどが火災で不完全燃焼し、一酸化炭素などの可燃性ガスが発生するおそれもある。
【００３８】
ここで、図３は、本発明の実施の形態１における災害の例として地震を例示した場合の震度と異常の程度との関係を表すイメージ図である。異常検出部９として振動センサーを用いた場合、振動センサーは蓄電池制御装置６または蓄電池制御装置６の周囲の揺れによる加速度を検出し、地震による振動を検出することができる。振動センサーは検出した加速度を電力制御部８に伝え、電力制御部８は振動センサーから受け取った信号に基づき震度を判断する。なお、振動センサーは、揺れによる加速度を検出するだけでなく震度についても判断し、電力制御部８に震度を伝える構成としてもよい。図３より、直線５１は、震度と異常の程度との対応関係を表し、震度が大きいほど振動センサーの出力値が大きくなり、異常の程度が高くなる比例関係で示されている。つまり、図３より、震度と異常の程度は一対一で対応しており、震度Ｙ１は異常の程度において第一設定値Ｚ１と対応する。
【００３９】
図３より、震度Ｙ１未満の範囲である範囲４０では、電力制御部８は異常の程度が第一設定値Ｚ１未満のため異常が発生していると判断せず、蓄電池５の充電量が適正範囲３２となるよう充放電制御を行う。一方、震度Ｙ１以上の範囲である範囲４１では、電力制御部８は異常の程度が第一設定値Ｚ１以上のため、異常が発生していると判断し、蓄電池５の充電を制限して設定充電量Ｘ３以下まで放電を行う。
【００４０】
つまり、電力制御部８は、異常検出部９からの信号を受信し、信号に基づき蓄電池制御装置６または蓄電池制御装置６の周囲に生じた災害による異常が発生していると判断した場合に、後述する電力消費部１３で蓄電池５に蓄えられた電力を消費させ、設定充電量Ｘ３以下に蓄電池の電力量を低下させる。設定充電量Ｘ３以下に放電を行うことで、二次災害の可能性を低減することができる。なお、蓄電池５を下限充電量Ｘ２未満まで放電させると、以降、再充電を行っても蓄電池５が二次電池として適切に機能しなくなるおそれが高いが、蓄電池５の充電量が設定充電量Ｘ３以下であって下限充電量Ｘ２以上の場合よりも二次災害の可能性をより低減することができる。
【００４１】
次に、各種災害による異常を検出する例について具体的に説明する。異常検出部９として浸水センサーを用いた場合、津波または風水害による浸水を検出することができる。電力制御部８は浸水センサーから受け取った信号に基づき、蓄電池制御装置６または蓄電池制御装置６の周囲が浸水しているか否かを判断する。浸水センサーは、例えばプラスマイナスの端子に水が浸かることにより端子間が導通することで浸水の有無が判断できる。
【００４２】
また、電力制御部８が浸水センサーによる浸水を検出した場合に、対応する異常の程度の値は、蓄電池制御装置６または蓄電池制御装置６の周囲に設けられた浸水センサーの例えば高さを考慮して予め定められている。例えば、電力制御部８は、底面から３ｃｍに設けた浸水センサーにより浸水を検出すると、異常の程度が第一設定値Ｚ１以上の予め定められた値にあると判断する。なお、浸水センサーは、高さに応じて複数設けられていることが好ましい。
【００４３】
異常検出部９として温度センサーを用いた場合、火災などによる温度上昇を検出することができる。温度センサーは検出した温度を電力制御部８に伝え、電力制御部８は温度センサーから受け取った信号に基づき火災などの災害が発生しているか否かを判断する。ここで、電力制御部８は、温度センサーにより検出した蓄電池制御装置６または蓄電池制御装置６の周囲の温度に基づいて異常の程度を判断する。電力制御部８は、温度が予め定められた温度以上となった場合または一定時間内に一定値以上の昇温が生じた場合に、異常の程度が第一設定値Ｚ１以上の値にあると電力制御部８が判断するようにしてもよい。
【００４４】
例えば、通常の使用状態では蓄電池制御装置６の温度が４０℃程度のところ、電力制御部８は蓄電池制御装置６の温度が１００℃以上になった、または５分間で１０℃以上の昇温がみられたなどの温度変化が検出された場合、異常の程度が第一設定値Ｚ１以上の値にあると電力制御部８が判断するようにしてもよい。同様に、蓄電池制御装置６の周囲の温度で判断してもよい。温度センサーは、温度によって抵抗値が変わるサーミスタ、熱電対、または放射温度計などを用いてもよい。
【００４５】
異常検出部９としてガスセンサーを用いた場合、蓄電池制御装置６または蓄電池制御装置６の周囲において予め定められた種類の可燃性ガスの存在を検出することができる。電力制御部８はガスセンサーから受け取った信号に基づき、予め定められた種類の可燃性ガスが発生しているか否かを判断する。予め定められた可燃性ガスは、例えば一酸化炭素、水素、アンモニアなどであり、可燃性ガスであればこれに限られない。電力制御部８は、ガスの濃度に基づいて異常の程度を判断する。例えば、ガスセンサーにより検出した蓄電池制御装置６または蓄電池制御装置６の周囲の可燃性ガスの濃度が、予め定められた濃度以上となった場合に、異常の程度が第一設定値Ｚ１以上の値にあると電力制御部８が判断するようにしてもよい。
【００４６】
異常検出部９は、通信機能を有していてもよい。インターネットまたはテレビ放送などから地震、津波、浸水、または天気に関する情報など（雨量または警報などの情報を含む）を取得することで、電力制御部８は災害による異常について早期の判断が可能となる。
【００４７】
電力消費部１３は、蓄電池５に蓄えられた電力を主に抵抗で消費し、放電することができ、例えば抵抗またはコイルなどを有する大電力用の電子部品である。電力消費部１３は、蓄電池５に最大電力が蓄えられている場合に、１５分または３０分などの一定時間以内で放電可能となる負荷に設計されている。
【００４８】
電力消費部１３は、蓄電池５に蓄えられた電力を消費するだけでなく、スピーカまたは表示部等を有し、異常が生じた旨を警報または表示により周囲に通知できるようにしてもよい。これにより、避難を促し、加えてスピーカまたは表示部等を駆動することにより電力の消費も促進させることができる。
【００４９】
冷却装置１４は、蓄電池５に蓄えられた電力を電力消費部１３で消費する場合に、電力消費部１３の冷却を行う装置であり、電力消費部１３での発熱量が大きい場合に設けられている。冷却装置１４は、例えば、放熱用フィンを有するヒートシンク、ファン、ペルチェ素子、または冷凍サイクルを利用した装置などである。また、冷却装置１４として、ファン、ペルチェ素子、または冷凍サイクルを利用した装置などを用いると、蓄電池５の電力を電力消費部１３で消費する場合に、同時に蓄電池５の電力を利用して電力消費部１３の冷却を行う。それゆえ、冷却装置１４も電力を消費し、電力を消費する負荷の機能も兼ねることができる。
【００５０】
強制放電スイッチ１２は、電力制御部８からの指令によりオン・オフが切り替えられるスイッチであり、電力消費部１３および冷却装置１４と蓄電装置４との間で接続され、オンの状態では電流が流れ、オフの状態では電流が流れない。強制放電スイッチ１２は、蓄電池制御装置６または蓄電池制御装置６の周囲に災害による異常がない通常運転の場合では、蓄電装置４の蓄電池５に蓄えられた電力が放電されないよう、接続を遮断するオフの状態にある。強制放電スイッチ１２は、蓄電池制御装置６または蓄電池制御装置６の周囲に災害による異常が生じ、電力制御部８から接続を閉じる旨の信号を受けると、スイッチがオンとなる。スイッチがオンとなることで電力消費部１３または冷却装置１４と蓄電装置４との間が導通し、蓄電池５に蓄えられた電力が電力消費部１３で消費され、放電される。
【００５１】
操作部１０は、各種スイッチ、赤外線等を受信する受信装置、またはタッチパネルなどで構成され、外部からの入力を受けると入力内容に基づく信号を電力制御部８に送信する。使用者は、操作部１０を介して蓄電池制御装置６の各種設定を行う。また、操作部１０がタッチパネルである場合、使用者は操作部１０を介して蓄電池制御装置６の各種設定を行うことができ、同時に蓄電池制御装置６の各種状態を操作部１０で確認することもできる。
【００５２】
なお、本発明の実施の形態１では、太陽光発電システム１として、ソーラーパネル２を使用する例を示したが、ソーラーパネル２を使用せず蓄電池５への充電を系統電源２０からの電力供給のみで行っても良い。また、ソーラーパネル２に替えてまたは加えて、風力発電装置、マイクロ水力発電、ガソリンなどで発電する家庭用簡易発電装置を用いてもよい。
【００５３】
次に、本発明の実施の形態１に係る太陽光発電システム１の具体的な動作を説明する。図４は、本発明の実施の形態１に係る蓄電池制御装置６の電力制御部８の異常確認処理を説明するフローチャートである。
【００５４】
図４のフローチャートは、異常検出部９からの信号を電力制御部８が受信すると開始する。ステップＳＴ１０１において、電力制御部８は、太陽光発電システム１が正常に動作し、通常の運転を行えるか否かを確認する。電力制御部８は、太陽光発電システム１が正常に動作することが確認できた場合はステップＳＴ１０２に進む。一方、電力制御部８は、太陽光発電システム１が正常に動作しないと判断した場合は、ステップＳＴ１０３に進む。
【００５５】
ステップＳＴ１０２において、電力制御部８は、異常検出部９からの信号に基づき、蓄電池制御装置６または蓄電池制御装置６の周囲に災害による異常が発生しているか否かを判断する。つまり、電力制御部８は、異常検出部９からの信号に基づき判断された異常の程度が第一設定値Ｚ１以上である場合に異常が発生していると判断する。そして、電力制御部８が、異常が発生していると判断した場合はステップＳＴ１０５に進み、異常が発生していないと判断した場合はステップＳＴ１０４に進む。
【００５６】
ステップＳＴ１０３において、電力制御部８は、蓄電池５の充放電機能を使用不可とする。そして、フローチャートを終了する。
【００５７】
ステップＳＴ１０４において、電力制御部８は、蓄電池５の充放電機能を使用可能とする。そして、フローチャートを終了する。なお、ステップＳＴ１０４において蓄電池５の充放電機能を使用可能としており、フローチャートの終了後に、電力制御部８は蓄電池５の充放電について通常通りの制御を行う。
【００５８】
ステップＳＴ１０５において、電力制御部８は、蓄電池５に対してソーラーパネル２および系統電源２０による充電機能を停止させる。
【００５９】
ステップＳＴ１０６において、電力制御部８は、蓄電池５の充電量を設定充電量Ｘ３以下まで放電させるため、強制放電スイッチ１２をオンにする信号を出力する。電力制御部８は、強制放電スイッチ１２がオンとなり、蓄電池５に蓄えられた充電量が電力消費部１３で消費され設定充電量Ｘ３以下まで低下したことを確認すると、強制放電スイッチ１２をオフとする信号を出力する。そして、電力制御部８は、強制放電スイッチ１２をオフにし、蓄電池５からの放電を停止させ、フローチャートを終了させる。
【００６０】
なお、実施の形態１では、蓄電池５の充電量を設定充電量Ｘ３以下まで低下させる場合に、電力制御部８は、蓄電池５の充電量が下限充電量Ｘ２以上かつ設定充電量Ｘ３以下となると蓄電池５からの放電を停止させてもよく、蓄電池５の充電量が下限充電量Ｘ２未満となると蓄電池５からの放電を停止させるようにしてもよい。蓄電池５の充電量はユーザが適宜設定できるようにしてもよい。また、ステップＳＴ１０６の開始時において、蓄電池５の充電量が設定充電量Ｘ３以下であった場合、強制放電スイッチ１２をオンにせず、フローチャートを終了させてもよい。
【００６１】
以上のとおり、本発明の実施の形態１における蓄電池制御装置６では、蓄電池５の充放電を制御する蓄電池制御装置６であって、蓄電池制御装置６または蓄電池制御装置６の周囲に生じた災害による異常を検出する異常検出部９と、蓄電池５に蓄えられた電力を消費する電力消費部１３と、異常検出部９から受信した信号に基づき異常が発生していると判断した場合に、電力消費部１３で蓄電池５に蓄えられた電力を消費させ、設定充電量以下に蓄電池５の電力量を低下させる電力制御部８とを備える。
【００６２】
また、本発明の実施の形態１における蓄電システム３では、蓄電池５の充放電を制御する蓄電池制御装置６であって、蓄電池制御装置６または蓄電池制御装置６の周囲に生じた災害による異常を検出する異常検出部９と、蓄電池５に蓄えられた電力を消費する電力消費部１３と、異常検出部９から受信した信号に基づき異常が発生していると判断した場合に、電力消費部１３で蓄電池５に蓄えられた電力を消費させ、設定充電量以下に蓄電池５の電力量を低下させる電力制御部８とを有する蓄電池制御装置６と、蓄電池制御装置６により充放電が制御される蓄電池５を有する蓄電装置４とを備える。
【００６３】
また、本発明の実施の形態１における太陽光発電システム１では、蓄電池５の充放電を制御する蓄電池制御装置６であって、蓄電池制御装置６または蓄電池制御装置６の周囲に生じた災害による異常を検出する異常検出部９と、蓄電池５に蓄えられた電力を消費する電力消費部１３と、異常検出部９から受信した信号に基づき異常が発生していると判断した場合に、電力消費部１３で蓄電池５に蓄えられた電力を消費させ、設定充電量以下に蓄電池５の電力量を低下させる電力制御部８とを有する蓄電池制御装置６と、蓄電池制御装置６により充放電が制御される蓄電池５を有する蓄電装置４とを備える蓄電システム３と、さらに、太陽光発電により発電した電力が蓄電システム３の蓄電池５に充電され、太陽光発電による発電を行うソーラーパネル２とを備える。
【００６４】
このような構成によれば、例えば地震、津波、風水害または火災などの災害による異常が生じた場合において、蓄電池５に蓄えられた電力を放電させ、二次災害が発生する可能性を従来よりも低減することができ、また仮に二次災害が発生したとしても二次災害の規模を抑制する効果が得られる。
【００６５】
また、本発明の実施の形態１における蓄電池制御装置６では、異常検出部９は、振動を測定する振動センサーであって、電力制御部８は、振動センサーからの信号に基づき、異常が発生しているか否かを判断する構成とすることもできる。
【００６６】
このような構成によれば、地震による異常を検出することができ、地震による家屋の倒壊などにより蓄電システム３が損傷する前に蓄電池５を放電することが可能となる。よって、二次災害が発生する可能性を従来よりも低減することができ、また仮に二次災害が発生したとしても二次災害の規模を抑制することができる。
【００６７】
また、本発明の実施の形態１における蓄電池制御装置６では、異常検出部９は、浸水の有無を検出する浸水センサーであって、電力制御部８は、浸水センサーからの信号に基づき、異常が発生しているか否かを判断する構成とすることもできる。
【００６８】
このような構成によれば、浸水による異常を検出することができ、蓄電システム３が浸水により損傷する前に蓄電池５を放電することが可能となる。よって、二次災害が発生する可能性を従来よりも低減することができ、また仮に二次災害が発生したとしても二次災害の規模を抑制することができる。
【００６９】
また、本発明の実施の形態１における蓄電池制御装置６では、異常検出部９は、温度を測定する温度センサーであって、電力制御部８は、温度センサーからの信号に基づき、異常が発生しているか否かを判断する構成とすることもできる。
【００７０】
このような構成によれば、火災による異常を検出することができ、蓄電システム３が高温となり損傷する前に蓄電池５を放電することが可能となる。よって、二次災害が発生する可能性を従来よりも低減することができ、また仮に二次災害が発生したとしても二次災害の規模を抑制することができる。
【００７１】
また、本発明の実施の形態１における蓄電池制御装置６では、異常検出部９は、予め定められた種類の可燃性ガスを検出するガスセンサーであって、電力制御部８は、ガスセンサーからの信号に基づき、異常が発生しているか否かを判断する構成とすることもできる。
【００７２】
このような構成によれば、予め定められた種類の可燃性ガスの存在を検出でき、可燃性ガスに引火する前に蓄電池５を放電することで蓄電システム３の損傷を防ぐことができる。よって、二次災害が発生する可能性を従来よりも低減することができ、また仮に二次災害が発生したとしても二次災害の規模を抑制することができる。
【００７３】
また、本発明の実施の形態１における蓄電池制御装置６では、蓄電池５の電力を電力消費部１３で消費する場合に、蓄電池５の電力を利用して電力消費部１３の冷却を行う冷却装置１４を備える構成とすることもできる。
【００７４】
このような構成によれば、蓄電池５に蓄えられた電力を消費する際に、同時に蓄電池５の電力を利用して電力消費部１３の冷却を行う。それゆえ、冷却装置１４は電力を消費し、電力を消費する負荷の機能も兼ねることができる。
【００７５】
実施の形態２．
本発明の実施の形態２に係る太陽光発電システム１を図５および図６により説明する。本発明の実施の形態２では、異常の程度に応じて蓄電池５の充電量を変化させる変形例について説明する。以下に実施の形態１と異なる点を中心に説明し、同一または対応する部分についての説明は適宜省略する。
【００７６】
図５は本発明の実施の形態２における災害の例として地震を例示した場合の震度と異常の程度との関係を表すイメージ図である。図５は、図３に対して震度Ｙ２と第二設定値Ｚ２を新たに加えている。図５より、図３の場合と同様に、震度と異常の程度は一対一で対応しており、震度Ｙ１は異常の程度において第一設定値Ｚ１と対応し、震度Ｙ１より大きい震度Ｙ２は、異常の程度において第一設定値Ｚ１より大きい第二設定値Ｚ２と対応している。
【００７７】
なお、図５において、震度Ｙ１および震度Ｙ２は、異常検出部９として振動センサーを用いた場合の震度の例であるが、異常検出部９として浸水センサーを用いた場合、震度Ｙ１および震度Ｙ２は、浸水時の高さＹ１および浸水時の高さＹ２と対応させることができる。同様に、震度Ｙ１および震度Ｙ２は、異常検出部９として温度センサーを用いた場合、温度Ｙ１および温度Ｙ２と対応させることができ、異常検出部９としてガスセンサーを用いた場合、濃度Ｙ１および濃度Ｙ２と対応させることができる。
【００７８】
電力制御部８は、異常検出部９からの信号に基づき異常の程度を判断し、異常検出部９からの信号に基づき判断された異常の程度が第一設定値Ｚ１以上および第二設定値Ｚ２未満の場合に、蓄電池５の電力を電力消費部１３で消費させ、蓄電池の電力量を設定充電量Ｘ３以下かつ下限充電量Ｘ２以上（第二設定範囲３１内）とする。また、電力制御部８は、異常検出部９からの信号に基づき異常の程度を判断し、異常検出部９からの信号に基づき判断された異常の程度が第二設定値Ｚ２以上の場合に、蓄電池５の電力を電力消費部１３で消費させ、蓄電池の電力量を適正範囲３２外（過放電）である下限充電量Ｘ２未満（第一設定範囲３０内）とする。
【００７９】
震度に基づき判断された異常の程度が第一設定値Ｚ１以上および第二設定値Ｚ２未満の場合は、例えば蓄電池制御装置６が設けられた建物が崩れることまで想定せず、異常が解消した後に蓄電池制御装置６を再度使用することを想定している。一方で、震度に基づき判断された異常の程度が第二設定値Ｚ２以上の場合は、蓄電池制御装置６がある建物が崩れ、蓄電池制御装置６が建物の下敷きになり破損し、二次災害が生じる可能性が高いことを想定し、再度の使用を想定していない。
【００８０】
震度に基づき判断された異常の程度が第二設定値Ｚ２以上の場合には、蓄電池５が今後利用できなくなる下限充電量Ｘ２未満まで蓄電池５を放電させることで、二次災害の可能性をより抑制することができる。なお、第一設定値Ｚ１および第二設定値Ｚ２は、異常の種類に応じて予め設定された値である。
【００８１】
例えば、震度Ｙ１が震度６、および震度Ｙ２が震度７と仮に設定する。すると、震度が震度６以上および震度７未満の場合は、電力制御部８は蓄電池５の電力を電力消費部１３で消費させ、蓄電池５の充電量を下限充電量Ｘ２以上かつ設定充電量Ｘ３以下とする。一方、判断された震度が震度７以上の場合は、電力制御部８は蓄電池５の電力を電力消費部１３で消費させ、蓄電池５の充電量を下限充電量Ｘ２未満とする。
【００８２】
浸水センサーは、蓄電池制御装置６または蓄電池制御装置６の周囲に設けられた浸水センサーの高さに応じて、異常の程度について第一設定値Ｚ１および第二設定値Ｚ２を設定する。つまり、浸水センサーにより検出した浸水時の高さＹ１は異常の程度において第一設定値Ｚ１と対応し、浸水時の高さＹ１より高い浸水時の高さＹ２は、異常の程度において第一設定値Ｚ１より大きい第二設定値Ｚ２と対応している。
【００８３】
例えば、電力制御部８は、底面から３ｃｍに設けた浸水センサーが浸水を検出し、底面から１０ｃｍに設けた浸水センサーが浸水を検出しなければ、電力制御部８により判断された異常の程度が第一設定値Ｚ１以上第二設定値Ｚ２未満の値にあると判断する。また、電力制御部８は、底面から３ｃｍおよび１０ｃｍに設けた浸水センサーが浸水を検出した場合には、電力制御部８により判断された異常の程度が第二設定値Ｚ２以上の値にあると判断する。
【００８４】
異常検出部９として温度センサーを用いた場合、蓄電池制御装置６または蓄電池制御装置６の周囲に設けられた温度センサーの温度に応じて、電力制御部８により判断された異常の程度が第一設定値Ｚ１および第二設定値Ｚ２と設定する。つまり、温度センサーにより検出した蓄電池制御装置６または蓄電池制御装置６の周囲の温度が、温度Ｙ１の場合は異常の程度において第一設定値Ｚ１と対応し、温度Ｙ１より高い温度Ｙ２の場合は、異常の程度において第一設定値Ｚ１より大きい第二設定値Ｚ２と対応している。例えば、電力制御部８は、温度センサーの温度の値が１００℃を第一設定値Ｚ１とし、１２０℃を第二設定値Ｚ２としてもよい。
【００８５】
異常検出部９としてガスセンサーを用いた場合、例えば、蓄電池制御装置６または蓄電池制御装置６の周囲に設けられたガスの濃度に応じ、電力制御部８により判断された異常の程度が第一設定値Ｚ１および第二設定値Ｚ２と設定してもよい。つまり、ガスセンサーにより検出した蓄電池制御装置６または蓄電池制御装置６の周囲のガスの濃度が、濃度Ｙ１の場合は異常の程度において第一設定値Ｚ１と対応し、濃度Ｙ１より高い濃度Ｙ２の場合は、異常の程度において第一設定値Ｚ１より大きい第二設定値Ｚ２と対応している。
【００８６】
次に、本発明の実施の形態２に係る太陽光発電システム１の具体的な動作を説明する。図６は、本発明の実施の形態２に係る蓄電池制御装置６の電力制御部８の異常確認処理を説明するフローチャートである。図６は、図４のステップＳＴ１０１〜１０５までと対応するため、説明を省略し、ステップＳＴ２０１〜２０６について説明を行う。
【００８７】
ステップＳＴ２０１において、電力制御部８は、異常検出部９からの信号に基づき判断された異常の程度が第二設定値Ｚ２以上であるか否かを判断する。異常検出部９からの信号に基づき判断された異常の程度が第二設定値Ｚ２以上であると電力制御部８が判断した場合、ステップＳＴ２０３に進み、異常検出部９からの信号に基づき判断された異常の程度が第二設定値Ｚ２未満であると電力制御部８が判断した場合、ステップＳＴ２０２に進む。
【００８８】
ステップＳＴ２０２において、電力制御部８は、蓄電池５の充電量が下限充電量Ｘ２以上かつ設定充電量Ｘ３以下の範囲より多いか、それとも範囲内にあるかを判断する。蓄電池５の充電量が下限充電量Ｘ２以上かつ設定充電量Ｘ３以下より多いと電力制御部８が判断した場合は、ステップＳＴ２０４に進み、蓄電池５の充電量が下限充電量Ｘ２以上かつ設定充電量Ｘ３以下であると電力制御部８が判断した場合は、ステップＳＴ２０５に進む。
【００８９】
ステップＳＴ２０４において、電力制御部８は蓄電池５を放電させ、蓄電池５の充電量を下限充電量Ｘ２以上かつ設定充電量Ｘ３以下にするため、強制放電スイッチ１２をオンにする信号を出力する。電力制御部８は、強制放電スイッチ１２がオンとなり、蓄電池５の電力が電力消費部１３で消費され、蓄電池５の充電量が下限充電量Ｘ２以上かつ設定充電量Ｘ３以下まで低下したことを確認すると、強制放電スイッチ１２をオフとする信号を出力する。そして、強制放電スイッチ１２はオフとなり、蓄電池５からの放電が停止する。
【００９０】
ステップＳＴ２０５において、電力制御部８は、蓄電池制御装置６または蓄電池制御装置６の周囲に生じた災害による異常が解消した旨の信号を受信したか否かの確認を行う。異常が解消したか否かの判断は、原則として人が行う。例えば、蓄電池制御装置６の周囲にいる人が、蓄電池制御装置６または蓄電池制御装置６の周囲に生じた災害による異常が解消したと判断した場合は、操作部１０を介して異常が解消した旨の信号を電力制御部８に送る。そして、異常が解消した旨の信号を電力制御部８が受け取ると、電力制御部８はステップＳＴ２０６に進む。一方、電力制御部８は、異常が解消した旨の信号を受信していない場合は、一定時間毎に信号の到来を確認し、再度ステップＳＴ２０５を実行する。
【００９１】
ステップＳＴ２０６において、電力制御部８は、蓄電池５を充電する機能の停止を解除し、フローチャートを終了する。電力制御部８が、蓄電池５を充電する機能の停止を解除することで、蓄電池５への充電が再び可能となる。
【００９２】
ステップＳＴ２０３において、電力制御部８は、蓄電池５の充電量を適正範囲３２から下限充電量Ｘ２未満まで放電させるため、強制放電スイッチ１２をオンにする信号を出力する。電力制御部８は、強制放電スイッチ１２がオンとなり、蓄電池５の電力が電力消費部１３で消費され、蓄電池５の充電量が下限充電量Ｘ２未満まで低下したことを確認すると、強制放電スイッチ１２をオフとする信号を出力する。そして、電力制御部８は、強制放電スイッチ１２をオフにし、蓄電池５からの放電を停止させ、フローチャートを終了させる。
【００９３】
なお、ステップＳＴ２０３において、電力制御部８は、強制放電スイッチ１２をオンにした後に、強制放電スイッチ１２をオフにせず、フローチャートを終了させてもよい。
【００９４】
以上のとおり、本発明の実施の形態２における電力制御部８は、異常の程度を判断し、異常の程度が第一設定値以上および第二設定値未満の場合に蓄電池の電力を消費させ、蓄電池の電力量を設定充電量以下かつ下限充電量以上とし、異常の程度が第二設定値以上の場合に蓄電池の電力を消費させ、蓄電池の電力量を下限充電量未満とする構成とすることもできる。
【００９５】
このような構成によれば、災害の影響により蓄電システム３に致命的な損傷などが生じる可能性が低い場合、電力制御部８は蓄電池５が二次電池として適切に機能する充電量の下限値（下限充電量Ｘ２）付近まで放電させ、下限充電量Ｘ２未満にしないことで蓄電池５を再利用できるようにしている。一方、災害により蓄電システム３に致命的な損傷などが生じる可能性が高い場合、電力制御部８は再充電を行っても蓄電池５が二次電池として適切に機能する充電量の下限値（下限充電量Ｘ２）未満になるよう蓄電池５を放電させ、蓄電池５を再利用できなくしている。ただし、蓄電池５の再利用はできなくなるが、蓄電池５の充電量の下限充電量Ｘ２未満まで放電させることから、二次災害が発生する可能性を下限充電量Ｘ２以上の場合より低減できる。つまり、電力制御部８は、異常の程度に応じて蓄電池５の充電量を変化させることで、二次災害が発生する可能性を低減させ、仮に二次災害が発生したとしても二次災害の規模を抑制することができる。
【００９６】
また、本発明の実施の形態２における蓄電池制御装置６では、外部からの入力を受ける操作部１０を備え、電力制御部８は、異常が生じたと判断したときから、操作部１０からの入力信号に基づき異常が解消したと判断するまでの間において、蓄電池５への充電を行わない構成とすることもできる。
【００９７】
このような構成によれば、蓄電池５への充電を異常が解消するまで行わないため、異常が発生したと判断したときより蓄電池５の充電量が高くなることを防ぐことができる。よって、蓄電池５の充電量は、異常が発生したと判断したときの蓄電池５の充電量以下に保たれるため、二次災害が発生する可能性を低減することができ、また仮に二次災害が発生したとしても二次災害の規模を抑制することができる。
【００９８】
なお、本発明は、発明の範囲内において、各実施の形態を自由に組み合わせることや、各実施の形態を適宜、変形、省略することが可能である。
【符号の説明】
【００９９】
１  太陽光発電システム、２  ソーラーパネル、３  蓄電システム、４  蓄電装置、５  蓄電池、６  蓄電池制御装置、８  電力制御部、９  異常検出部、１０  操作部、１４  冷却装置
【図１】
2017029715.tif 000003
【図２】
2017029715.tif 000004
【図３】
2017029715.tif 000005
【図４】
2017029715.tif 000006
【図５】
2017029715.tif 000007
【図６】
2017029715.tif 000008
【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
蓄電池の充放電を制御する蓄電池制御装置であって、
前記蓄電池制御装置または前記蓄電池制御装置の周囲に生じた災害による異常を検出する異常検出部と、
前記蓄電池に蓄えられた電力を消費する電力消費部と、
前記異常検出部から受信した信号に基づき前記異常が発生していると判断した場合に、前記電力消費部で前記蓄電池に蓄えられた電力を消費させ、設定充電量以下に前記蓄電池の電力量を低下させる電力制御部と
を備え、
前記電力制御部は、前記異常の程度を判断し、前記異常の程度が第一設定値以上および第二設定値未満の場合に前記蓄電池の電力を消費させ、前記蓄電池の電力量を前記設定充電量以下かつ下限充電量以上とし、前記異常の程度が前記第二設定値以上の場合に前記蓄電池の電力を消費させ、前記蓄電池の電力量を前記下限充電量未満とする
蓄電池制御装置。
【請求項２】
外部からの入力を受ける操作部を備え、
前記電力制御部は、前記異常が生じたと判断したときから、前記操作部からの入力信号に基づき前記異常が解消したと判断するまでの間において、前記蓄電池への充電を行わない
請求項１に記載の蓄電池制御装置。
【請求項３】
前記異常検出部は、振動を測定する振動センサーであって、
前記電力制御部は、前記振動センサーからの信号に基づき、前記異常が発生しているか否かを判断する
請求項１または請求項２に記載の蓄電池制御装置。
【請求項４】
前記異常検出部は、浸水の有無を検出する浸水センサーであって、
前記電力制御部は、前記浸水センサーからの信号に基づき、前記異常が発生しているか否かを判断する
請求項１または請求項２に記載の蓄電池制御装置。
【請求項５】
前記異常検出部は、温度を測定する温度センサーであって、
前記電力制御部は、前記温度センサーからの信号に基づき、前記異常が発生しているか否かを判断する
請求項１または請求項２に記載の蓄電池制御装置。
【請求項６】
前記異常検出部は、予め定められた種類の可燃性ガスを検出するガスセンサーであって、
前記電力制御部は、前記ガスセンサーからの信号に基づき、前記異常が発生しているか否かを判断する
請求項１または請求項２に記載の蓄電池制御装置。
【請求項７】
前記蓄電池の電力を前記電力消費部で消費する場合に、前記蓄電池の電力を利用して前記電力消費部の冷却を行う冷却装置
を備える請求項１〜６のいずれか一項に記載の蓄電池制御装置。
【請求項８】
請求項１〜７のいずれか一項に記載の蓄電池制御装置と、
前記蓄電池制御装置により充放電が制御される前記蓄電池を有する蓄電装置と
を備える蓄電システム。
【請求項９】
請求項８に記載の蓄電システムと、
太陽光発電により発電した電力が前記蓄電システムの前記蓄電池に充電され、前記太陽光発電による発電を行うソーラーパネルと
を備える太陽光発電システム。
【手続補正２】
【補正対象書類名】明細書
【補正対象項目名】０００６
【補正方法】変更
【補正の内容】
【０００６】
本発明に係る蓄電池制御装置は、蓄電池の充放電を制御する蓄電池制御装置であって、蓄電池制御装置または蓄電池制御装置の周囲に生じた災害による異常を検出する異常検出部と、蓄電池に蓄えられた電力を消費する電力消費部と、異常検出部から受信した信号に基づき異常が発生していると判断した場合に、電力消費部で蓄電池に蓄えられた電力を消費させ、設定充電量以下に蓄電池の電力量を低下させる電力制御部とを備え、電力制御部は、異常の程度を判断し、異常の程度が第一設定値以上および第二設定値未満の場合に蓄電池の電力を消費させ、蓄電池の電力量を設定充電量以下かつ下限充電量以上とし、異常の程度が第二設定値以上の場合に蓄電池の電力を消費させ、蓄電池の電力量を下限充電量未満としたものである。
【手続補正３】
【補正対象書類名】明細書
【補正対象項目名】０００７
【補正方法】変更
【補正の内容】
【０００７】
本発明に係る蓄電システムは、蓄電池の充放電を制御する蓄電池制御装置であって、蓄電池制御装置または蓄電池制御装置の周囲に生じた災害による異常を検出する異常検出部と、蓄電池に蓄えられた電力を消費する電力消費部と、異常検出部から受信した信号に基づき異常が発生していると判断した場合に、電力消費部で蓄電池に蓄えられた電力を消費させ、設定充電量以下に蓄電池の電力量を低下させる電力制御部とを有する蓄電池制御装置と、蓄電池制御装置により充放電が制御される蓄電池を有する蓄電装置とを備え、電力制御部は、異常の程度を判断し、異常の程度が第一設定値以上および第二設定値未満の場合に蓄電池の電力を消費させ、蓄電池の電力量を設定充電量以下かつ下限充電量以上とし、異常の程度が第二設定値以上の場合に蓄電池の電力を消費させ、蓄電池の電力量を下限充電量未満としたものである。
【手続補正４】
【補正対象書類名】明細書
【補正対象項目名】０００８
【補正方法】変更
【補正の内容】
【０００８】
本発明に係る太陽光発電システムは、蓄電池の充放電を制御する蓄電池制御装置であって、蓄電池制御装置または蓄電池制御装置の周囲に生じた災害による異常を検出する異常検出部と、蓄電池に蓄えられた電力を消費する電力消費部と、異常検出部から受信した信号に基づき異常が発生していると判断した場合に、電力消費部で蓄電池に蓄えられた電力を消費させ、設定充電量以下に蓄電池の電力量を低下させる電力制御部とを有する蓄電池制御装置と、蓄電池制御装置により充放電が制御される蓄電池を有する蓄電装置とを備える蓄電システムと、さらに、太陽光発電により発電した電力が蓄電システムの蓄電池に充電され、太陽光発電による発電を行うソーラーパネルとを備え、電力制御部は、異常の程度を判断し、異常の程度が第一設定値以上および第二設定値未満の場合に蓄電池の電力を消費させ、蓄電池の電力量を設定充電量以下かつ下限充電量以上とし、異常の程度が第二設定値以上の場合に蓄電池の電力を消費させ、蓄電池の電力量を下限充電量未満としたものである。
【国際調査報告】
2017029715.tif 000009
2017029715.tif 000010
2017029715.tif 000011
2017029715.tif 000012